(57)【要約】本発明は、少なくとも第１のカップ（１２ａ）及び第２のカップ（１２ｂ）を含むタイプのブラジャー（１０）であって、各カップ（１２ａ，１２ｂ）は、それぞれが、凸状縁（３２，３４）によってまた対向する凹状縁（３６，３８）によって全体的に画定される、全体的に三日月形状を有する第１の外部支持体（２８）及び第２の内部支持体（３０）を含み、第１の支持体（２８）の凹状縁（３６）は、第２の支持体（３０）の凹状縁（３８）に面して、全体的に配置され、第１の支持体（２８）及び第２の支持体（３０）は、第１の下側端（４０）及び第２の下側端（４２）をそれぞれ示し、第１の下側端（４０）及び第２の下側端（４２）は、乳房用の支持ゾーン（Ｚ１）において交差することを特徴とする、ブラジャー（１０）に関する。【選択図】図１
2018500475.tif 000002
【特許請求の範囲】
【請求項１】
ブラジャー（１０）において、少なくとも、
−それぞれが、乳房の下に配置されるように設計された下側縁（１４）によって、ネックラインを画定する内側縁（１６）によって、また、側方外側縁（１８）によって画定される、第１のカップ（１２ａ）及び第２のカップ（１２ｂ）と、
−前記第１のカップ（１２ａ）の外側縁（１８）及び前記第２のカップ（１２ｂ）の外側縁に接続される背側締結バンド（２０）とを含むタイプのブラジャー（１０）であって、
各カップ（１２ａ，１２ｂ）は、それぞれが、凸状縁（３２，３４）によってまた対向する凹状縁（３６，３８）によって全体的に画定される、全体的に三日月形である第１の外部支持体（２８）及び第２の内部支持体（３０）を含み、
前記第１の支持体（２８）の前記凹状縁（３６）は、前記第２の支持体（３０）の前記凹状縁（３８）に面して、全体的に配置され、
前記第１の支持体（２８）及び前記第２の支持体（３０）は、第１の下側端（４０）及び第２の下側端（４２）をそれぞれ示し、前記第１の下側端（４０）及び前記第２の下側端（４２）は、乳房用の支持ゾーン（Ｚ１）において交差することを特徴とする、
前記ブラジャー（１０）。
【請求項２】
前記支持ゾーン（Ｚ１）は、乳房を支持するため、乳房の下方に配置されるように設計されることを特徴とする、
請求項１に記載のブラジャー（１０）。
【請求項３】
前記第１の外部支持体（２８）は、前記被接続カップ（１２ａ）の側方外部ゾーン（Ｚ２）であって、乳房の側方外部に対応する前記側方外部ゾーン（Ｚ２）に入るよう少なくとも部分的に延在して、乳房を強制的に被接続カップ（１２ａ）の中心に向くようにすることを特徴とする、
先行請求項のいずれか１項に記載のブラジャー（１０）。
【請求項４】
前記第２の内部支持体（３０）は、前記被接続カップ（１２ａ）の側方内部ゾーン（Ｚ３）であって、ネックラインの側方内部に対応する前記側方内部ゾーン（Ｚ３）に入るよう少なくとも部分的に延在して、乳房を被接続カップ（１２ａ）内に維持することを特徴とする、
先行請求項のいずれか１項に記載のブラジャー（１０）。
【請求項５】
前記第１の外部支持体（２８）は、ブラジャー（１０）のストラップ（２６ａ）まで延在する上側端を示すことを特徴とする、
先行請求項のいずれか１項に記載のブラジャー（１０）。
【請求項６】
前記第２の内部支持体（３０）は、ブラジャー（１０）のストラップ（２６ａ）まで延在する上側端を示すことを特徴とする、
先行請求項のいずれか１項に記載のブラジャー（１０）。
【請求項７】
各カップ（１０）の前記下側縁（３２，３４）はアンダーワイヤリングを装備することを特徴とする、
先行請求項のいずれか１項に記載のブラジャー（１０）。
【請求項８】
各前記支持体（２８，３０）は、１１０パーセントと１９０パーセントの間の伸長を示す弾性変形可能材料で実施されることを特徴とする、
先行請求項のいずれか１項に記載のブラジャー（１０）。
【請求項９】
各前記支持体（２８，３０）は、高い弾力性を示す材料で実施され、前記材料の弾性変形の後方力及び前方力はほぼ等しいことを特徴とする、
先行請求項のいずれか１項に記載のブラジャー（１０）。
【発明の詳細な説明】
【技術分野】
【０００１】
本発明は、乳房の快適さ及び支持（サポート）を改善することを目的とするブラジャーに関する。
【背景技術】
【０００２】
ブラジャーは、本質的に、ユーザの乳房を支持し、カップ内の中央に置かれた乳房を保護することを目標とする。
【０００３】
ブラジャーは、この目的のために、一般的に乳房の形状に一致する中空形状を示す２つのカップを含む。
【０００４】
更に、各カップは、アンダーワイヤリングを装備する可能性があり、アンダーワイヤリングは、カップの下側縁に沿って配置され、ユーザの乳房の下に収容されるように設計される。
【０００５】
全体的にＣ形曲線を示すアンダーワイヤリングは、カップの変形を制限するのに十分な硬質性を示す金属またはプラスチック材料で実施される。
【０００６】
アンダーワイヤは乳房の支持が改善されることを可能にするが、アンダーワイヤリングは、しばしば、不快の原因であり、また、ユーザを悩ませまたは損傷する可能性がある。
【発明の概要】
【発明が解決しようとする課題】
【０００７】
本発明の目的は、特に、必ずしもアンダーワイヤに頼ることなく、満足のいく乳房の支持を提供するブラジャーを提供することである。
【課題を解決するための手段】
【０００８】
この目標に関して、本発明は、ブラジャーにおいて、少なくとも、
‐それぞれが、乳房の下に配置されるように設計された下側縁によって、ネックラインを画定する内側縁によって、また、側方外側縁によって画定される、第１のカップ及び第２のカップと、
‐第１のカップの外側縁及び第２のカップの外側縁に接続される背側締結バンドとを含むタイプのブラジャーであって、
各カップは、それぞれが、凸状縁によってまた対向する凹状縁によって全体的に画定される、全体的に三日月形である第１の外部支持体及び第２の内部支持体を含み、第１の支持体の凹状縁は、第２の支持体の凹状縁に面して、全体的に配置され、第１の支持体及び第２の支持体は、第１の下側端及び第２の下側端をそれぞれ示し、第１の下側端及び第２の下側端は、乳房用の支持ゾーンにおいて交差することを特徴とする、ブラジャーに関する。
【０００９】
好ましくは、カップ上に共に装備される支持体は、不快なアンダーワイヤの付加がもはや必要でないように、乳房が支持されることを可能にする。
【００１０】
別の特徴によれば、支持ゾーンは、乳房を支持するため、乳房の下方に配置されるように設計される。
【００１１】
同様に、第１の外部支持体は、被接続カップの側方外部ゾーンであって、乳房の側方外部に対応する側方外部ゾーンに入るよう少なくとも部分的に延在して、乳房を強制的に被接続カップの中心に向くようにする。
【００１２】
同様に、第２の内部支持体は、被接続カップの側方内部ゾーンであって、ネックラインの側方内部に対応する側方内部ゾーンに入るよう少なくとも部分的に延在して、乳房を被接続カップ内に維持する。
【００１３】
別の態様によれば、第１の外部支持体は、ブラジャーのストラップまで延在する上側端を示す。
【００１４】
この特徴は、第１の支持体を介してストラップとカップの下側部との間の力の伝達を促進する。
【００１５】
同様に、第２の内部支持体は、ブラジャーのストラップまで延在する上側端を示す。
【００１６】
この特徴は、第２の支持体を介してストラップとカップの下側部との間の力の伝達を促進する。
【００１７】
一実施形態によれば、各カップの下側縁はアンダーワイヤを装備する。
【００１８】
好ましい実施形態によれば、各支持体は、１１０パーセントと１９０パーセントの間の伸長を示す弾性変形可能材料で実施される。
【００１９】
同様に、各支持体は、高い弾力性を示す材料で実施され、前記材料の弾性変形の後方力及び前方力（前後力、行ったり来たりの力）はほぼ等しい。
【００２０】
本発明の他の特徴及び利点は、添付図面上で参照されるものを理解することに関して、次に続く詳細な説明を読むと明らかになる。
【図面の簡単な説明】
【００２１】
【図１】本発明による、それぞれが外部及び内部三日月形支持体を装備する、第１及び第２のカップを含む、アンダーワイヤリングがないブラジャーを示す正面図である。
【図２】図１のブラジャーの第１のカップの詳細図である。
【図３】図１の第１のカップの外部支持体を示す正面図である。
【図４】図１の第１のカップの内部支持体を示す正面図である。
【図５】本発明による、それぞれが２つの三日月形支持体を装備する、２つのカップを含む、アンダーワイヤリングを有するブラジャーを示す略正面図である。
【図６】本発明の一実施形態による図５のブラジャーの第１のカップを示す詳細図である。
【発明を実施するための形態】
【００２２】
本出願において、用語「上部（ｔｏｐ）」、「下部（ｂｏｔｔｏｍ）」、「上側（ｕｐｐｅｒ）」、「下側（ｌｏｗｅｒ）」、及びそれらの派生語は、要素の位置または向き（方向）を指し、前記位置または前記向きは、立っているユーザによってブラジャーが装着されたときを想定している。
【００２３】
更に、説明及び特許請求の範囲を明確にするため、用語、「長手方向の（Ｌｏｎｇｉｔｕｄｉｎａｌ）」、「垂直の（Ｖｅｒｔｉｃａｌ）」、及び「横方向の（Ｔｒａｎｓｖｅｒｓｅ）」は、図上に示す三面体Ｌ、Ｖ、Ｔを参照して非制限的な方法で採用されることになる。
【００２４】
図のこのセットにおいて、同一のまたは類似の参照は、同一のまたは類似の部品または組立体（集合物）を示す。
【００２５】
ブラジャー１０が図１上に示され、ブラジャー１０は、ブラジャー１０の前の前部に属する第１のカップ１２ａ及び第２のカップ１２ｂを含む。
【００２６】
２つのカップ１２ａ、１２ｂは、図１に見られるように、ブラジャー１０の一般的な設計において、横方向に整列し、垂直対称に平面Ｐの両側に配置される。
【００２７】
説明を理解することを容易にするため、第１のカップ１２ａ及び第２のカップ１２ｂが対称でかつ類似するため、第１のカップ１２ａだけが、以下で詳細に述べられる。
【００２８】
第１のカップ１２ａは、乳房の下に配置されるように設計された下側縁１４によって、ネックラインを画定する内側縁１６によって、また、側方外側縁１８によって画定される。
【００２９】
更に、第１のカップ１２ａは、凸形状を示し、全体的に半球のレリーフ及び長手方向で前部に向かう凸部を有する。
【００３０】
ブラジャー１０は、背側締結バンド２０を含み、背側締結バンド２０は、第１のカップ１２ａの外側縁１８に接続される第１のセクション２２ａ及び第２のカップ１２ｂの外側縁に接続される第２のセクション２２ｂからなる。
【００３１】
第１のセクション２２ａ及び第２のセクション２２ｂは、例えば、相補的なフックアンドアイタイプの取付け具２４の取外し可能手段によってユーザの背部で相互接続される。
【００３２】
非制限的な方法で、ブラジャー１０は、同様に、示されていない設計例に従って、２つのカップ１２ａ、１２ｂの間で、前部で結合されるとも考えられる。
【００３３】
背側締結バンド２０は、例えば、その主要な長さに対応する横方向に延長可能なニットで実施される。
【００３４】
更に、ブラジャー１０は、ユーザの肩の上でブラジャー１０を支持するように設計される一対のストラップ２６ａ、２６ｂを装備する。
【００３５】
本発明によれば、第１のカップ１２ａは、第１の外部支持体２８及び第２の内部支持体３０を含み、第１の外部支持体２８及び第２の内部支持体３０のそれぞれは、それぞれ凸状縁３２、３４によって、また、それぞれ凹状縁３６、３８によって全体的に画定された三日月形である。
【００３６】
図２により詳細に見られるように、第１の支持体２８の凹状縁３６及び第２の支持体３０の凹状縁３８は、全体的に互いに対向して配置され、第１のカップ１２ａの上部に向かうＶ開口の輪郭を描く。
【００３７】
同様に、第１の支持体２８及び第２の支持体３０はそれぞれ、下側端４０、４２を示し、下側端４０、４２は、乳房用の支持ゾーンＺ１内で交差しオーバラップする。
【００３８】
図２において破線で示す支持ゾーンＺ１は、乳房の重量を支持し重量に耐えるための、乳房の下方に配置されたゾーンであると理解される。
【００３９】
第１の支持体２８及び第２の支持体３０の下側端４０、４２の交差は、乳房についての２重の支持を提供し、硬質で不快なアンダーワイヤに頼ることを回避する。
【００４０】
好ましくは、支持体２８、３０の各下側端４０、４２は、第１のカップ１２ａの下側縁１４に接続される。
【００４１】
更に、第１の外部支持体２８は、第１のカップ１２ａの側方外部ゾーンＺ２であって、乳房の側方外部に対応する、側方外部ゾーンＺ２に入るよう少なくとも部分的に延在して、乳房を強制的に第１のカップ１２ａの中心に向くようにする。
【００４２】
より詳細には、第１の外部支持体２８の凸状縁３２は、第１のカップ１２ａの外部縁１８及び下側縁１４に接続される。
【００４３】
同様に、第２の内部支持体３０は、第１のカップ１２ａの側方内部ゾーンＺ３であって、ネックラインの側方内部に対応する、側方内部ゾーンＺ３に入るよう少なくとも部分的に延在して、乳房を被接続カップ１２ａ内に維持する。
【００４４】
より詳細には、第２の内部支持体３０の凸状縁３２は、第１のカップ１２ａの内部縁１６及び下側縁１４に接続される。
【００４５】
図１〜４に示す本発明の実施形態によれば、第１の外部支持体２８は、ブラジャー１０に接続されたストラップ２６ａの前方に、第１のカップ１２ａの外部縁１８まで延在する上側端４４を示す。
【００４６】
同様に、第２の内部支持体３０は、ブラジャー１０に接続されたストラップ２６ａの前方に、第１のカップ１２ａの内部縁１６まで延在する上側端４６を示す。
【００４７】
本発明の別の態様によれば、各支持体２８、３０は、弾性変形可能材料で実施される。
【００４８】
好ましくは、支持体２８、３０を作製するために使用される材料は、メッシュ、特に、「パワーネット（ｐｏｗｅｒ  ｎｅｔ）」として知られるタイプのメッシュであり、そのバインディング（結合）は弾性チュールで作られる。
【００４９】
支持体２８、３０は、同様に、他の材料で実施される可能性がある。例えば、他のテキスタイルメッシュニット、好ましくはよりよい管理された安定性のためのリニアメッシュ、また同様に、熱可塑性エラストマーでできたフィルムまたはメッシュが使用される可能性がある。支持体２８、３０は、特にシリコーン、または、メッシュもしくはフィルムに構成された任意の他のエラストマーから作製される可能性がある。
【００５０】
好ましくは、支持体２８、３０を作製するために使用される材料は、１４５パーセントと１９０パーセントとの間の長手方向の、すなわち、図で垂直方向の伸長、及び、１１０パーセントと１２５パーセントとの間の横方向の、すなわち、図で横方向の伸長を示す。
【００５１】
更に、支持体２８、３０を作製するために使用される材料は、高い弾力性を示す、すなわち、材料の弾性変形の後方力及び前方力はほぼ等しい。
【００５２】
好ましくは、支持体２８、３０を作製するために使用される材料の弾力性は、４０ニュートンの力について１５０グラムと６００グラムとの間である。
【００５３】
弾力性及び伸長についてのこれらの異なる値は、同様に、ブラジャーのカップサイズに依存する。
【００５４】
本発明によるブラジャー１０の作製について、第１の支持体は、最初に第１のカップ１２ａ上に締結され、第２の支持体３０は、その後、第１のカップ１２ａ上に締結される。
【００５５】
好ましくは、各支持体２８、３０は、第１のカップ１２ａ上にその外部縁を縫込むことによって締結されて、各支持体２８，３０が弾性的に変形し、したがって、伸長及び弾力性のその特徴を保持することを可能にする。
【００５６】
図５及び図６に示す本発明の一実施形態によれば、ブラジャー１０の各カップ１２ａ、１２ｂは、各カップの下側縁１４を補強するアンダーワイヤ（示さず）、例えば、金属アンダーワイヤを装備する。
【００５７】
使用されるアンダーワイヤリングは、２つの支持体２８、３０によって提供される支持のせいで、従来技術のブラジャーのために使用されるアンダーワイヤに比べて、より高い柔軟性を示し、より微細であり、したがって、より快適である可能性がある。
【００５８】
本発明によるブラジャー１０は、先に述べた形状の支持体２８、３０に限定されない。
【００５９】
同様に、図１のブラジャーと類似するが、支持体２８、３０の形状によって識別されるブラジャー１０が図５及び図６に示される。
【００６０】
実際には、図５に示す実施形態によれば、第１の外部支持体２８の上側端は、ブラジャー１０のストラップ２６ａまで延在する。
【００６１】
更に、第２の内部支持体３０の上側端は、ほぼ第１の外部支持体２８の上側端まで延在する。
【００６２】
最後に、図６に示す実施形態によれば、第１の外部支持体２８の上側端及び第２の内部支持体３０の上側端はそれぞれ、ブラジャー１０のストラップ２６ａまで延在する。
【００６３】
更に、上側端は、ストラップ２６ａにおいて交差する。
【００６４】
第１の外部支持体２８及び／または第２の内部支持体３０のストラップ２６ａまでの延在は、支持体２８、３０が、ストラップ２６ａと第１の被接続カップ１２ａとの間で力を伝達することを可能にする。
【００６５】
本発明のこの説明は、非制限的な例として与えられる。
【００６６】
上述した異なる実施形態が互いに組合される可能性があることが特に理解される。
【符号の説明】
【００６７】
１０      ブラジャー
１２ａ    第１のカップ、被接続カップ
１２ｂ    第２のカップ
１４      下側縁
１６      内側縁
１８      外側縁
２０      背側締結バンド
２２ａ    第１のセクション
２２ｂ    第２のセクション
２４      取付け具
２６ａ    ストラップ
２６ｂ    ストラップ
２８      第１の外部支持体
３０      第２の内部支持体
３２      凸状縁、下側縁
３４      凸状縁、下側縁
３６      凹状縁
３８      凹状縁
４０      第１の下側端
４２      第２の下側端
４４      上側端
４６      上側端
Ｐ        平面
Ｚ１      支持ゾーン
Ｚ２      側方外部ゾーン
Ｚ３      側方内部ゾーン
【図１】
2018500475.tif 000003
【図２】
2018500475.tif 000004
【図３】
2018500475.tif 000005
【図４】
2018500475.tif 000006
【図５】
2018500475.tif 000007
【図６】
2018500475.tif 000008
【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
第１のカップと第２のカップであって、各々が、ブラジャーの着用者の乳房の下に配置されるように構成された下側縁によって、前記着用者のネックラインを画定する内側縁によって、および、側方外側縁によって画定される、第１のカップ及び第２のカップと、
前記第１のカップの前記側方外側縁及び前記第２のカップの前記側方外側縁に接続される背側締結バンドとを備え、
前記第１のカップ及び前記第２のカップの各々は、第１の外部支持体及び第２の内部支持体を含み、
前記第１の外部支持体及び前記第２の内部支持体の各々は、全体的に三日月形であり、凸状縁によって、および、対向する凹状縁によって全体的に画定され、
前記第１の外部支持体の前記凹状縁は、前記第２の内部支持体の前記凹状縁に面して、全体的に配置され、
前記第１の外部支持体及び前記第２の内部支持体は、第１の下側端及び第２の下側端をそれぞれ示し、
前記第１の下側端及び前記第２の下側端は、前記乳房の支持ゾーンにおいて交差する、
ブラジャー。
【請求項２】
前記支持ゾーンは、前記乳房を支持するため、前記乳房の下方に配置されるように構成される、
請求項１に記載のブラジャー。
【請求項３】
前記第１の外部支持体は、被接続の前記第１のカップの側方外部ゾーンであって、前記乳房の側方外部に対応する前記側方外部ゾーンに入るよう少なくとも部分的に延在して、前記乳房を強制的に被接続の前記第１のカップの中心に向くようにする、
請求項１または請求項２に記載のブラジャー。
【請求項４】
前記第２の内部支持体は、被接続の前記第１のカップの側方内部ゾーンであって、前記ネックラインの側方内部に対応する前記側方内部ゾーンに入るよう少なくとも部分的に延在して、前記乳房を被接続の前記第１のカップ内に維持する、
請求項１〜３のいずれか１項に記載のブラジャー。
【請求項５】
前記第１の外部支持体は、前記ブラジャーのストラップまで延在する上側端を示す、
請求項１〜４のいずれか１項に記載のブラジャー。
【請求項６】
前記第２の内部支持体は、前記ブラジャーのストラップまで延在する上側端を示す、
請求項１〜５のいずれか１項に記載のブラジャー。
【請求項７】
前記カップの各々の前記下側縁は、アンダーワイヤリングを装備する、
請求項１〜６のいずれか１項に記載のブラジャー。
【請求項８】
前記第１の外部支持体及び前記第２の内部支持体の各々は、１１０パーセントと１９０パーセントの間の伸長を示す弾性変形可能材料で実施される、
請求項１〜７のいずれか１項に記載のブラジャー。
【請求項９】
前記第１の支持体及び前記第２の支持体の各々は、高い弾力性を示す材料で実施され、高い弾力性を示す前記材料の弾性変形の後方力及び前方力はほぼ等しい、
請求項１〜８のいずれか１項に記載のブラジャー。
【請求項１０】
前記支持ゾーンは、前記乳房を支持するため、前記乳房の下方に配置される、
請求項１〜９のいずれか１項に記載のブラジャー。
【請求項１１】
前記第１の外部支持体および前記第２の内部支持体の少なくとも１つは、メッシュを備える、
請求項１〜１０のいずれか１項に記載のブラジャー。
【請求項１２】
前記メッシュは、ニットメッシュである、
請求項１１に記載のブラジャー。
【請求項１３】
前記メッシュは、熱可塑性エラストマーを備える、
請求項１１に記載のブラジャー。
【請求項１４】
前記メッシュは、弾性チュールで作られたバインディングを有するパワーネットメッシュを備える、
請求項１１に記載のブラジャー。
【請求項１５】
前記第１の外部支持体及び前記第２の内部支持体の各々の前記弾性変形可能材料は、１４５パーセントと１９０パーセントの間の長手方向の垂直の伸長、及び、１１０パーセントと１２５パーセントの間の横方向の伸長を備える、
請求項８に記載のブラジャー。
【請求項１６】
前記第１の外部支持体の上側端及び前記第２の内部支持体の上側端は、前記ストラップにおいて少なくとも部分的に互いに交差する、
請求項６に記載のブラジャー。
【手続補正２】
【補正対象書類名】明細書
【補正対象項目名】００６６
【補正方法】変更
【補正の内容】
【００６６】
上述した異なる実施形態が互いに組合される可能性があることが特に理解される。
［第１の局面］
ブラジャー（１０）において、少なくとも、
−それぞれが、乳房の下に配置されるように設計された下側縁（１４）によって、ネックラインを画定する内側縁（１６）によって、また、側方外側縁（１８）によって画定される、第１のカップ（１２ａ）及び第２のカップ（１２ｂ）と、
−前記第１のカップ（１２ａ）の外側縁（１８）及び前記第２のカップ（１２ｂ）の外側縁に接続される背側締結バンド（２０）とを含むタイプのブラジャー（１０）であって、
各カップ（１２ａ，１２ｂ）は、それぞれが、凸状縁（３２，３４）によってまた対向する凹状縁（３６，３８）によって全体的に画定される、全体的に三日月形である第１の外部支持体（２８）及び第２の内部支持体（３０）を含み、
前記第１の支持体（２８）の前記凹状縁（３６）は、前記第２の支持体（３０）の前記凹状縁（３８）に面して、全体的に配置され、
前記第１の支持体（２８）及び前記第２の支持体（３０）は、第１の下側端（４０）及び第２の下側端（４２）をそれぞれ示し、前記第１の下側端（４０）及び前記第２の下側端（４２）は、乳房用の支持ゾーン（Ｚ１）において交差することを特徴とする、
前記ブラジャー（１０）。
［第２の局面］
前記支持ゾーン（Ｚ１）は、乳房を支持するため、乳房の下方に配置されるように設計されることを特徴とする、
第１の局面に記載のブラジャー（１０）。
［第３の局面］
前記第１の外部支持体（２８）は、前記被接続カップ（１２ａ）の側方外部ゾーン（Ｚ２）であって、乳房の側方外部に対応する前記側方外部ゾーン（Ｚ２）に入るよう少なくとも部分的に延在して、乳房を強制的に被接続カップ（１２ａ）の中心に向くようにすることを特徴とする、
先行局面のいずれかに記載のブラジャー（１０）。
［第４の局面］
前記第２の内部支持体（３０）は、前記被接続カップ（１２ａ）の側方内部ゾーン（Ｚ３）であって、ネックラインの側方内部に対応する前記側方内部ゾーン（Ｚ３）に入るよう少なくとも部分的に延在して、乳房を被接続カップ（１２ａ）内に維持することを特徴とする、
先行局面のいずれかに記載のブラジャー（１０）。
［第５の局面］
前記第１の外部支持体（２８）は、ブラジャー（１０）のストラップ（２６ａ）まで延在する上側端を示すことを特徴とする、
先行局面のいずれかに記載のブラジャー（１０）。
［第６の局面］
前記第２の内部支持体（３０）は、ブラジャー（１０）のストラップ（２６ａ）まで延在する上側端を示すことを特徴とする、
先行局面のいずれかに記載のブラジャー（１０）。
［第７の局面］
各カップ（１０）の前記下側縁（３２，３４）はアンダーワイヤリングを装備することを特徴とする、
先行局面のいずれかに記載のブラジャー（１０）。
［第８の局面］
各前記支持体（２８，３０）は、１１０パーセントと１９０パーセントの間の伸長を示す弾性変形可能材料で実施されることを特徴とする、
先行局面のいずれかに記載のブラジャー（１０）。
［第９の局面］
各前記支持体（２８，３０）は、高い弾力性を示す材料で実施され、前記材料の弾性変形の後方力及び前方力はほぼ等しいことを特徴とする、
先行局面のいずれかに記載のブラジャー（１０）。
【国際調査報告】
2018500475.tif 000009
2018500475.tif 000010
2018500475.tif 000011